(57)【要約】      （修正有）【課題】吸水性に優れて座り心地が良く、かつ意匠性にも優れ、さらに、洗濯が容易でかつ乾燥が早い座布団を提供する。【解決手段】タオル地とタオル地と重ね合わされた１枚又は複数枚の座布団材の端部が１又は２以上のリボン又は紐で結ばれて固定され、かつ座布団カバーが存在しないことを特徴とする。【選択図】図１
0003106491.tif 000002
【実用新案登録請求の範囲】
【請求項１】
タオル地とタオル地と重ね合わされた１枚又は複数枚の座布団材の端部が１又は２以上のリボン又は紐で結ばれて固定され、かつ座布団カバーが存在しないことを特徴とする座布団。
【請求項２】
タオル地が中心から折り曲げられて重ね合わされて座布団材が形成され、さらに座布団材が中心から折り曲げられて重ね合わされて、当該座布団材の端部が１又は２以上のリボン又は紐で結ばれて固定され、かつ座布団カバーが存在しないことを特徴とする座布団。
【請求項３】
タオル地１００ｇ当り５０〜１００gの吸水量を有する請求項１〜２の座布団。
【請求項４】
タオル地にループ糸状模様を付与したことを特徴とする請求項１〜３の座布団。
【請求項５】
１枚のタオル地の半分の上下両端内側に固定具が取り付けられ、他方半分に外向きにリボン又は紐が取り付けられ、固定具の取り付けられた方を内側にして折りたたみ、固定具により重なり部分を固定するとともに、外向きに設けられたリボン又は紐で結ぶことを特徴とする請求項１〜４の座布団。
【考案の詳細な説明】
【技術分野】
【０００１】
本考案は、吸水性と意匠性の両方に優れた肌触りの良い座布団に関する。
【背景技術】
【０００２】
特開平６−３１６１０４号公報には、以下の発明が記載されている。
発明の目的は、布団・ベット・シーツ（本発明で言うシーツとは、従来のベットや布団上に掛け・覆うためのもののみならず、タオルや前述のシート等をも含む）等において、汗ばんだ肌に触れても肌触りがさっぱりとした爽やかな布団・ベット・シーツで、布団・ベット・シーツ上に横たわっても尚通気性が良く、且つ床ずれの生じ辛い吸水・除湿シートその吸水・除湿シートを被着した椅子、布団、ベット等を提供することを目的としたものである。
発明の構成は、微細な無数の孔のあるシートと、その微細な無数の孔のあるシートを重着した吸水・除湿性シートとからなる吸水・除湿シートである。
【０００３】
しかし、上記吸水除湿シートをそのまま座布団に使用すると、肌が微細な無数の孔のあるシートに接触し、吸水・湿性シートに接触しないので直接汗を取る作用が不十分であった。
【０００４】
また、微細な無数の孔のあるシートと微細な無数の孔のあるシートと、その微細な無数の孔のあるシートを重着した吸水・除湿性シートとからなる吸水・除湿シートとは一体化されてないので、剥がれてきて、クッションが偏り座り心地が一様でなくなる恐れがあった。
【０００５】
また、単に吸水・除湿性能が良く座り心地が良いだけではなく、洗濯が容易でかつ乾燥が早い座布団の出現が求められていた。
【０００６】
【特許文献１】特開平６−３１６０１４号公報
【考案の開示】
【考案が解決しようとする課題】
【０００７】
本考案が解決しようとする課題は、吸水性に優れて座り心地が良く、かつ意匠性にも優れた座布団を提供することである。
【０００８】
単に吸水・除湿性能が良く座り心地が良いだけではなく、さらに、洗濯が容易でかつ乾燥が早い座布団を提供することである。
【０００９】
＠
【課題を解決するための手段】
【００１０】
考案者は、かかる考案課題を解決するべく種々の方法を試み、本考案を完成させたものである。
【００１１】
ここに、本考案の構成の解釈上の疑義を予め解消すべく、本願明細書で用いる用語（特に、実用新案登録請求の範囲の構成要件に用いられている用語）を、以下に説明する。
【００１２】
＜用語の説明＞
○タオル地とは、通常は綿繊維を用いて織り上げたもので、吸水性に優れた座布団材を構成する生地であって、タオル地と同じ規格で製造されたものである。タオル地は、木綿、ウール、アクリル繊維、ポリエステル繊維およびこれらの混紡品が好適である。
一枚のタオル地は厚さがある程度厚いものが好適で、２００〜６００ｇ／ｍ２複数枚（好ましくは３〜４枚）をたとえば１辺が３０〜６０ｃｍの正方形又は長方形もしくは同程度の径の円形の単品である。上記タオル地を重ね合わせるか長尺物を折りたたんでタオル地とパイル下地を一体的に固定する。タオル地下地層により肌触りが優しく、吸水性があり、洗濯乾燥性も良い。
【００１３】
コットンとポリアミシドのタオル地は、フワフワして柔らかくて伸縮性、吸水性もある。また、１枚のタオル地を折り重ねて座布団とすることも可能である。タオル地に適度の吸水性を保持することにより、例えば汗をかいてもべたつかず、快適な座布団を得ることができる。
○座布団材とは、タオル地とタオル地とを重ね合わせた生地のことで、１又は２以上の枚数の座布団材から座布団が構成される。
○ループ糸状模様とは、タオル地とタオル地を縫製又は刺繍によりループ状に覆い、座布団表面模様を形成する模様である。この模様は比較的太い糸、例えばポリエステルフィラメント、ナイロンフィラメント、アクリル紡績糸、木綿が好適である。
【００１４】
本考案の構成を具体的に説明すると、以下の通りになる。
【００１５】
上記のようにして完成した本考案（課題を解決するための手段）は、実用新案登録請求の範囲の各請求項に記載の考案であり、具体的には以下の通りである。
［請求項１］
タオル地とタオル地と重ね合わされた１枚又は複数枚の座布団材の端部が１又は２以上のリボン又は紐で結ばれて固定され、かつ座布団カバーが存在しないことを特徴とする座布団。
［請求項２］
タオル地が中心から折り曲げられて重ね合わされて座布団材が形成され、さらに座布団材が中心から折り曲げられて重ね合わされて、当該座布団材の端部が１又は２以上のリボン又は紐で結ばれて固定され、かつ座布団カバーが存在しないことを特徴とする座布団。
［請求項３］
タオル地１００ｇ当り５０〜１００ｇの吸水量を有する請求項１〜２の座布団。
［請求項４］
タオル地にループ糸状模様を付与したことを特徴とする請求項１〜３の座布団。
［請求項５］
１枚のタオル地の半分の上下両端内側に固定具が取り付けられ、他方半分に外向きにリボン又は紐が取り付けられ、固定具の取り付けられた方を内側にして折りたたみ、固定具により重なり部分を固定するとともに、外向きに設けられたリボン又は紐で結ぶことを特徴とする請求項１〜４の座布団。
＊＊＊＊＊＊＊＊＊＊＊＊＊＊＊＊＊＊＊＊＊＊＊＊＊＊＊＊＊＊＊＊＊＊＊
○請求項１記載考案の特徴的構成要件について、以下説明する。
（１）タオル地とタオル地と重ね合わされた１枚又は複数枚の座布団材
タオル地とタオル地を重ね合わせて座布団材を形成し、さらに座布団材を重ね合わせた座布団材を形成することが本考案の特徴である。
本考案の座布団は、後述するようにおいて、座布団カバーが存在しないことを意識して上述のような単にタオル地を何枚か重ね合わせただけのシンプルな構成としたものである。
なお、座布団材同士を固定具により固定するようにすることも可能である。ここに、固定具としてはベルクロファスナー、ホック、フック、チャック等が用いられる。
（２）１枚又は複数枚の座布団材の端部が１又は２以上のリボン又は紐で結ばれて固定されること
１枚又は複数枚の座布団材の端部を１又は２以上のリボン又は紐で結んで固定することによって、各座布団材は一体となり、座布団のクッション材としての機能を発揮させることができる。
【００１６】
そして、結んで固定としたのは、リボン又は紐を解いて座布団材をバラバラにすることもできることを意味し、座布団材は、バラバラの方が洗濯機に放り込んで洗濯する場合、汚れも落ちやすく座布団材の乾燥も格段に容易となるという効果がある。
（２）座布団カバーが存在しないこと
通常の座布団は、座布団カバーの中に綿のようなクッション材を入れて座布団としたものである。
洗濯等する場合、座布団カバーからクッション材を取り出し、別々に洗濯する必要があった。
本考案によれば、洗濯をする際にも、座布団カバーが存在しないので、クッション材を取り出して、クッション材と座布団カバー別々に洗濯をするという面倒な手間が省けるという顕著な効果を発揮させることができた。座布団カバーなしで、布団材を形成することが本考案の特徴である。
○請求項２において、１枚の布にタオル地と座布団材部分を同時に形成し、タオル地が表になるように折り曲げ、折り曲げ部と反対側の端部をリボン又は紐で結ばれて両者ズレないように固定されて、座布団を得る。
（１）タオル地が中心から折り曲げられて重ね合わされて座布団材が形成されること
上記構成とすることにより、一枚のタオル地を重ね合わせて座布団材を形成することができるという顕著な効果を発揮することができる。本考案によれば、一枚のタオル地から、一枚の座布団が得られるので、生産管理上、及び経理管理上もメリットがあり、理解するにも分かりがよい。
後述するようにおいて、座布団カバーが存在しないことを意識して上述のような単にタオル地を何枚か重ね合わせただけのシンプルな構成としたものであることは、前述した通りである。
なお、座布団材同士を固定具により固定するようにすることも可能であることも前述した通りである。
（２）さらに座布団材が中心から折り曲げられて重ね合わされたこと
タオル地を中心から折り曲げて座布団材とし、さらに座布団材を中心から折り曲げて座布団とする構成を明確化したものである。
【００１７】
したがって、座布団は４枚のタオル地から構成されるシンプルな構成としたものである。
（２）１枚又は複数枚の座布団材の端部が１又は２以上のリボン又は紐で結ばれて固定されること
請求項１記載考案において、前述した通りである。
（２）座布団カバーが存在しないこと
これも、請求項１記載考案において、前述した通りである。
○請求項３において、タオル地１００ｇ当り５０〜１００gの吸水量を有する座布団を特徴とするものである。
【００１８】
本考案において、座布団の素材として、吸水率の高い繊維のタオル地を利用している。天然繊維として木綿繊維を利用するほか、繊維に吸湿処理、湿潤処理を施した繊維を用いてもよい。タオル地の吸収性を向上する方法として、セルロース系繊維を架橋カルボキシルアルキル化セルロース塩とする方法や、ポリエステル繊維にアクリルサン又はメタクリル酸アルカリ金属塩のグラフト重合をする方法等が例示される。
【００１９】
吸水性が高い繊維をタオル地に利用しているので、皮膚との密着性が良く、汗の吸収が良く好ましい。
【００２０】
タオルの水分含有量実験結果を表１に記載する。
【００２１】
本考案の各タオル（タオル地）について、乾燥時の重さＸ（ｇ）、水を含んだ重さＹ（ｇ）のデータを示している。吸水量Ｑ（ｇ）は、Ｑ（ｇ）＝Ｙ−Ｘと表される。
この表１のデータから、タオル乾燥時の重量を１００ｇとすれば、一番上のロベルトタオルから一番下のコシノヒロコタオルまで、吸水量は、６７ｇ，５６ｇ，４２ｇ，７２ｇ，６２ｇ，６９ｇ，６１ｇ，１０５ｇ，６７ｇとなる。
本考案に用いたタオル（タオル地）の水分含有量実験結果を表１に示す。
【００２２】
【表１】
0003106491.tif 000003
【００２３】
本考案に用いたタオル（タオル地）の水分含有量実験結果を示す。
かかるデータより、タオル地１００ｇ当り５０〜１１０ｇ（望ましくは、５０〜１００ｇ、６０〜１００ｇ、６０〜１００ｇ）の吸水量を有する座布団が形成できる。
○請求項４において、意匠性が向上する。刺繍糸又は縫製用の糸は０．２〜
０．８ｍｍの糸の径又は１０００〜５０００デニールの太さが好適でポリエステルフィラメント、ナイロンフィラメント、アクリル紡績糸、木綿視等が好適である。
○請求項５において、１枚のタオル地を４等分し、一方の半分の上下両端に互いに内向きに固定具が取り付けられる。他方の半分のタオル地には表側外向きにリボン又は紐が取り付けられる。このリボン又は紐が取り付けられタオル地表側１／４が座布団表面である。内向きになった固定具同士を固定する。残った半分のパイル面に予め取り付けられたリボン又は紐を結びつけると、容易に構成が外れない座布団が得られる（図４を参照のこと）。
【考案の効果】
【００２４】
本考案の特徴的構成とすることにより、本考案が解決すべき課題は十分達成することができた。
【００２５】
すなわち、吸水性に優れて座り心地が良く、かつ意匠性にも優れた座布団を提供することができた。
【００２６】
単に吸水・除湿性能が良く座り心地が良いだけではなく、洗濯が容易でかつ乾燥が早い座布団を提供することができた。
【００２７】
より具体的には、本考案によれば、以下のような効果を奏することができた。
【００２８】
本考案によれば、吸水性が優れて肌触りが良く、かつ汗を良く吸い（タオル地１００ｇ当り５０〜１００gの吸水量を有しする）、かつサラット感が得られる座布団が実現できた。まタオル地を装飾糸により貫通し、タオル地とタオル地を固定化すると同時に刺繍糸による刺繍模様又は縫製による表面模様が得られ立体模様が得られ、見た目に審美感が得られる座布団が実現できた。
【００２９】
＠
【考案を実施するための最良の形態】
【００３０】
考案を実施するための最良の形態について以下説明する。
【００３１】
図１は本考案座布団の平面図並びに断面図である。
【００３２】
本考案座布団は、タオル地４層から構成された、座布団カバーが必要ない座布団である。
タオル地とタオル地がこれらの端部内側に設けられたミシン糸でタオル地が相互にズレないように固定されている。
さらに、タオル地とタオル地はもともと分離されていたものについては、固定具、例えば、ベルクロファスナーの雄型雌型により、両者固定される。
装飾糸はタオル地を模様状にループ状模様で覆って座布団の模様を美的に形成する。さらにタオル地とタオル地端部外側にはリボン又は紐が設けられて結ばれて両者が固定される。タオル地の上にはループ状の模様が美的に形成された座布団が得られる。
＠
図２は本考案座布団（請求項２記載考案）の広げた
状態の平面図及び断面図である。図２は、タオル地２層からなる座布団材が中心から折り曲げられて重ね合わされて、座布団を形成する前の状態を表している。タオル地の表面の一方には、刺繍によるループ模様部分が美的に形成される。このループ模様部分を押さえるミシン糸によって、タオル地は相互にズレないように固定し一体化される。タオル地の外周にはレース模様が付与されて、本考案座布団が得られる。
図３は本考案座布団斜視図である。図３は、タオル地が中心から折り曲げられて重ね合わされて座布団材が形成され、さらに座布団材が中心から折り曲げられて重ね合わされて、当該座布団材の端部が１又は２以上のリボン又は紐で結ばれて固定され、かつ座布団カバーが存在しないことを特徴とする座布団（請求項２記載考案）を斜視図的に表したものである。
座布団材の折り返し点の反対縁に内向きにマジックテープ（登録商標）等の固定具で固定するとともに、外向きにリボン又は紐で装飾的に結び目をつけることにより、衣装性の向上とともに表面パイルと座布団材がばらばらにならず一体化され剥れない座布団が得られる（図３の下図を参照のこと）。
本座布団は、テーブルのイスなどにも、セッティングし易いという効果を奏する。
図４に本考案実施対応の展開図を示す。１枚のタオル地が４等分され、その左右半分の内、図３右側上下端部に、互いに内向きに固定具が設置され、反対側の半分面（左側）上下端部外向きにリボン又は紐が取り付けられている。
図４左上部のタオル地の表面に、ループ状糸からなる模様が付与される。
右側の固定具が内側になるようにタオル地を４つに折り曲げ、マジックテープ（登録商標）等の固定具で折り曲げタオル地を固定する。さらにタオル地の外側に取り付けられたリボン又は紐を結びつけ、タオル地を表にして、本考案座布団が得られる。
本考案座布団は畳の上においても、いす、ソファーの上においてもインテリア材として好適で、また下地材にも模様を付与して、リバーシブルに使用できる。
＠
（実施例１）
タオル地１００ｇ当りの吸水量７１g１辺４０ｃｍｘ８０ｃｍの長方形の木綿１００％のタオル地を半分に折り重ね、表面側は径０．６ｍｍの表面材とは異色のポリエステルフィラメントの刺繍糸を用い刺繍機で刺繍し、ループ状に模様を付与した。一方マジックテープ（登録商標）（ベルクロファスナー）で表面材裏面と下地材を係合固定し、外側に取り付けたリボンを結んで、本考案座布団を得た。肌に優しく意匠性もあり、汗の吸収能力も優れた肌が触れてもベトつかず快適な座布団である（図２、図３を参照のこと）。
【００３３】
本座布団は、表２において、ＭＹ座布団と表現されている。ＭＹ座布団には、座布団カバーがないが、従来の座布団カバーが有り、中に詰め物を詰める。かかる従来タイプの比較例を、パンヤ入り座布団、スポンジ入り座布団、綿入り座布団とし、それらをＭＹ座布団と共に表２に記載した。
【００３４】
【表２】
0003106491.tif 000004
【００３５】
本考案と比較例の性能比較（詰め物の違う４種類の水分含有量の比較）である。
【００３６】
比較条件は、同じになるようにして実験閣下を得た。
本考案のＭＹ座布団と比較例について、天日干後の乾いた状態の重さＸ（ｇ）、選択後の濡れた状態の重さＹ（ｇ）のデータを示している。吸水量Ｑ（ｇ）は、Ｑ（ｇ）＝Ｙ−Ｘと表される。
（実施例２）
タオル地１００ｇ当り吸水量５８gの木綿１００％のタオル地表面材を使用した以外は実施例１と同様の座布団を得た。タオル地の表面には柄が顕著に現れ、汗等の吸収力が優れ、爽快感と意匠性のある座布団が得られた。
【図面の簡単な説明】
【００３７】
【図１】本考案座布団の断面図である。
【図２】本考案座布団の平面図である。
【図３】本考案座布団斜視図である。
【図４】本考案実施態様展開図である。
【図１】
0003106491.tif 000005
【図２】
0003106491.tif 000006
【図３】
0003106491.tif 000007
【図４】
0003106491.tif 000008